(57)【要約】      （修正有）【課題】弱い力であっても、容易に開けることができる蓋及びこの蓋を用いた容器を提供する。【解決手段】蓋を、平板状で表面１２と裏面１３を有する平板部１１と、平板部１１の外周端１４から当該平板部１１と直交する方向で裏面側に伸ばしたスカート部１５とで形成する。平板部１１の外周端１４または外周端１４の近い箇所に、平板部１１の表面１２より突出した突出部１６を設ける。突出部１６が当該突出部１６の突出方向とは反対方向に押された際に、平板部１１の裏面側に突出し、その突出後の形状が維持される。【選択図】図１
2011152934.tif 000002
【特許請求の範囲】
【請求項１】
平板状で表面１２と裏面１３を有する平板部１１と、平板部１１の外周端１４から当該平板部１１と直交する方向で裏面側に伸ばしたスカート部１５とを有する蓋１であって、平板部１１の外周端１４又は外周端１４の近い箇所に、平板部１１の表面１２より突出した突出部１６を設け、突出部１６が当該突出部１６の突出方向とは反対方向に押された際に、平板部１１の裏面側に突出し、その突出後の形状が維持され、平板部１１の表面１２に対して３度以上４０度以下である蓋。
【請求項２】
突出部１６の傾斜面の傾斜角が、平板部１１の表面１２に対して９度以上３５度以下である請求項１記載の蓋。
【請求項３】
突出部１６の傾斜面にリブ１７を有する請求項１又は請求項２に記載の蓋。
【請求項４】
突出部１６に、突出部１６の突出方向と反対方向に逆突出部１８がある請求項１乃至請求項３のいずれか一項に記載の蓋。
【請求項５】
請求項１乃至請求項４のいずれか一項に記載の蓋１と、蓋１の端縁１９の形状と同一端縁形状を有する上面開口部２１が形成された容器本体２とから構成される容器であって、容器本体２の端縁２２に、蓋１の裏面１３で形成する平面に相対する平面部２３を有する容器。
【発明の詳細な説明】
【技術分野】
【０００１】
本発明は、商品を収納する容器の蓋、この蓋を用いた容器に係り、特に、可撓性のある素材で形成された蓋及び容器に関する。
【背景技術】
【０００２】
容器の蓋を開ける作業をより容易にする技術として、特許文献１乃至３がある。特許文献１は、蓋の端部に設けたリング状又は渦巻き状の凹部又は凸部からなる押下部を容器本体側に移動して蓋を開ける技術である。特許文献２及び３は、梃子の原理で蓋を開ける技術である。
【先行技術文献】
【特許文献】
【０００３】
【特許文献１】特開２００７−０７６７２９号公報
【特許文献２】特開２００９−２６９６６１号公報
【特許文献３】実用新案登録第３０６０２９２号公報
【発明の概要】
【発明が解決しようとする課題】
【０００４】
しかしながら、特許文献１の図５に示すように、押下部は押圧力を加えている間のみ押し下がっているため、押す力が弱かったり、弱めたりすると、蓋を上手に開けられないという課題があった。
【０００５】
特許文献２及び３は、梃子の原理で蓋を開ける技術であり、作業者の作用に委ねられ、力の強弱によって蓋を開ける作業にばらつきがあるという課題があった。
【課題を解決するための手段】
【０００６】
本発明は、平板状で表面と裏面を有する平板部と、平板部の外周端から当該平板部と直交する方向で裏面側に伸ばしたスカート部とを有する蓋であって、平板部の外周端または外周端の近い箇所に、平板部の表面より突出した突出部を設け、突出部が当該突出部の突出方向とは反対方向に押された際に、平板部の裏面側に突出し、その突出後の形状が維持され、平板部の表面に対して３度以上４０度以下である蓋である。
【０００７】
突出部の傾斜面の傾斜角は、平板部の表面に対して３度以上４０度以下であり、好ましくは９度以上３５度以下である。
【０００８】
突出部の傾斜面には、リブを有するのが好ましい。
【０００９】
突出部に、突出部の突出方向と反対方向に逆突出部を設けるのが好ましい。
【００１０】
他の発明は、上述の蓋と、蓋の端縁の形状と同一端縁形状を有する上面開口部が形成された容器本体とから構成される容器であって、容器本体の上面開口部の端縁に、蓋の裏面で形成する平面に相対する平面部を有する容器である。
【００１１】
本発明は、上述の構成により、容器からより容易に蓋を開けることができる。
【図面の簡単な説明】
【００１２】
【図１】本発明に係る蓋及び容器の模式図
【図２】本発明に係る蓋の突出部の他の形態を模式的に示した平面図
【図３】図２のＢ矢視を模式的に示した説明図
【図４】図２の断面を模式的に示した説明図であり、（ａ）は蓋を容器本体に嵌合した初期状態を示す説明図であり、（ｂ）は（ａ）の初期状態から矢印Ｐの方向に押し嵌合を解除した状態を示す説明図である
【図５】他の実施例に係る蓋の平面図
【図６】図５のＡ矢視を模式的に示した説明図
【図７】図５のＢ矢視を模式的に示した説明図
【図８】他の実施例に係る蓋の平面図
【図９】図８の断面を模式的に示した説明図であり、（ａ）は蓋を容器本体に嵌合した初期状態を示す説明図であり、（ｂ）は（ａ）の初期状態から矢印Ｐの方向に押し嵌合を解除した状態を示す説明図である
【図１０】他の実施例に係る突出部の説明図
【図１１】本発明の他の実施例に係る容器を示した模式図
【符号の説明】
【００１３】
１  蓋
１１  平板部
１２  表面
１３  裏面
１４  外周端
１５  スカート部
１６  突出部
１７  リブ
１８  逆突出部
１９  端縁
２  容器本体
２１  上面開口部
２２  端縁
２３  平面部
Ｄ  突出部の傾斜面の傾斜角
【発明を実施するための形態】
【００１４】
以下、本発明を実施するための形態について、図１乃至図１０を用いて、詳細に説明する。
図１は、本発明に係る蓋及び容器の模式図であり、図２は、本発明に係る蓋の突出部の他の形態を模式的に示した平面図であり、図３は、図２のＢ矢視を模式的に示した説明図である。
図４は、図２の断面を模式的に示した説明図であって、（ａ）は、蓋を容器本体に嵌合した図２の初期状態を示す説明図であり、（ｂ）は、（ａ）の初期状態から矢印Ｐの方向に押し嵌合を解除した状態を示す説明図である。
図５は、リブを設けた逆突出部を有する蓋の形態を示した他の実施例に係る平面図であり、図６は、図５のＡ矢視を模式的に示した説明図であり、図７は、図５のＢ矢視を模式的に示した説明図である。図８は、突出部を円錐形状にした他の実施例に係る蓋の平面図である。
図９は、図８の断面を模式的に示した説明図であって、（ａ）は、蓋を容器本体に嵌合した初期状態を示す説明図であり、（ｂ）は、（ａ）の初期状態から矢印Ｐの方向に押し嵌合を解除した状態を示す説明図である。
図１０は、他の実施例に係る突出部の説明図であり、図１１は、他の発明である容器を示した模式図である。
【００１５】
本発明は、平板状で表面１２と裏面１３を有する平板部１１と、平板部１１の外周端１４から当該平板部１１と直交する方向で裏面１３側に伸ばしたスカート部１５とを有する蓋１であって、平板部１１の外周端１４の近い箇所に、平板部１１の表面１２より突出した突出部１６を設けたものである。図中、符号１７は突出部から図の下方に突出したリブ、１９は蓋１の端縁、２は容器本体、２１は、容器本体の上面開口部、２２は容器本体の端縁、２３は容器本体の平面部、Ｄは突出部の傾斜面の傾斜角、ｈは突出部の高さである。
【００１６】
図２乃至図４を用いて、本発明の形態の作用、効果について説明する。
【００１７】
図４（ａ）が示すように、蓋１を容器本体２に嵌合させた際には、スカート部１５が容器本体２の端縁２２が蓋１の突起Ｘに係止する。そのため、蓋１はみだりに外れない。
【００１８】
蓋を外す際には、図４（ａ）の初期状態から、図４（ｂ）の矢印Ｐの方向に突出部１６を押すことによって、突出部１６が平板部１１の裏面１３側に突出し、スカート部１５に設けた突起Ｘと端縁２２の係止が解除され、蓋１が容器本体２から外れ易くなる。裏面側に突出させた際、音が出るのが好ましい。音によって係止が解除されたことを耳で確認することができる。
【００１９】
本発明にあっては、図４（ｂ）の形状が維持されているので、突出部１６から手を離しても突出部１６が元の形状に戻らず容器本体を押し続ける、これにより蓋１を容器本体２から外す作業が容易になった。
【００２０】
蓋を構成する素材としては、突出部の突出方向とは反対方向に押された際に平板部の裏面側に突出し得る程度の柔軟性、及び、その突出後の形状が維持される程度の剛性を有することが必要である。具体的な素材としては、合成樹脂があり、より具体的には、ポリエチレン、二軸延伸ポリスチレン、ポリエチレン・テレフタレート、アモルファス・ポリエチレン・テレフタレート、ポリプロピレン、ポリ塩化ビニル、ポリスチレン、耐衝撃性ポリスチレン、エチレン・ビニル・アルコールがある。これら合成樹脂には、充填剤、顔料、可塑剤、老化防止剤、滑剤等の添加剤を添加したものであっても良い。
【００２１】
本発明に係る蓋にあっては、図３に示す突出部１６の傾斜面の傾斜角Ｄは、小さいと突出部１６の高さｈが出ず裏面１３側に突出させても蓋１を容器本体２から外す作用を発揮するのが少なくなる傾向にあり、大きいと突出部１６を裏面１３側に突出させるのに力がより必要になる傾向にある。そのため、傾斜角Ｄは、平板部１１の表面１２に対して３度以上４０度以下であり、好ましくは９度以上３５度以下であり、より好ましくは１５度以上２５度以下である。
【００２２】
本発明に係る蓋にあっては、突出部１６の傾斜面にリブ１７を設けることが好ましい。リブ１７を設けることによって、突出部１６が不用意に動くことを防止でき、裏面１３側に突出させた際の形状維持を安定させることができる。リブ１７を設ける場合、リブを設けた効果を発揮させるため、リブの幅は、０．５ｍｍ以上が好ましく、リブの深さは０．１５ｍｍ以上が好ましい。
【００２３】
本発明に係る蓋にあっては、図８及び図９に示すように、突出部１６に、突出部１６の突出方向と反対方向に逆突出部１８があるのが好ましい。逆突出部１８を設けることにより、突出部１６の高さｈが同じか低くても、逆突出部１８の突出分を裏面１３側に突出させる長さを増やすことができ、蓋１を容器本体２から外し易くなるという効果を有する。
【００２４】
他の発明は、図１０に示すように、蓋１と、蓋１の端縁１９の形状と同一端縁形状を有する上面開口部２１が形成された容器本体２とから構成される容器であって、容器本体２の上面開口部２１の端縁２２に、蓋１の裏面１３で形成する平面に相対する平面部２３を有する容器である。
【実施例】
【００２５】
本発明に係る実施例を、表と図面を参照しつつ、詳細に説明する。
【００２６】
本発明に係る実施例は、図１に示すように、平板状で表面１２と裏面１３を有する平板部１１と、平板部１１の外周端１４から当該平板部１１と直交する方向で裏面１３側に伸ばしたスカート部１５とを有する蓋１であって、平板部１１の外周端１４の近い箇所に、平板部１１の表面１２より突出した突出部１６を設けたものである。
【００２７】
図４（ａ）が示すように、蓋１を容器本体２に嵌合させた際には、容器本体２の端縁２２が蓋１のスカート部１５に設けられた突起Ｘに係止する。そのため、蓋１はみだりに外れない。
【００２８】
蓋を外す際には、図４（ａ）の初期状態から、図４（ｂ）の矢印Ｐの方向に突出部１６を押すことによって、突出部１６が平板部１１の裏面１３側に突出し、スカート部１５に設けた突起Ｘと端縁２２の係止が解除される。そのため、蓋１が容器本体２から外れ易くなった。
【００２９】
矢印Ｐ方向への押圧後は、突出部１６の形状は、図４（ｂ）の状態で維持されているので、突出部１６から手を離しても突出部１６が元の形状に戻らず容器本体を押し続けるので、蓋１を容器本体２から外す作業が容易になった。
【００３０】
次に本実施例・比較例について、表を参照しつつ、蓋の素材を特定した結果を開示する。
【００３１】
【表１】
2011152934.tif 000003
【００３２】
表１の実験番号１乃至８は、突出部１６として、図５乃至図７に示す形態の突出部を用い、蓋の素材として二軸延伸ポリスチレン（表１にはＯＰＳと記載した。）を用いた。
【００３３】
表１中、押圧力は、突出部を裏面側に突出させるのを完了させた際の圧力（単位Ｎ：ニュートン）である。後述するデッドホールド性が高ければ問題なく、蓋を容易に空けるために低い値が好ましく、あまりに低いと不用意に突出部が裏面側に突出してしまうため、１．５Ｎ以上２５Ｎ未満である。特に好ましくは、２Ｎ以上７Ｎ未満である。
【００３４】
表１中、ＤＨとは、デッドホールドの評価である。
ＤＨにおける評価は次の通りである。
○：デッドホールドが良好で繰り返し使える。
×：デッドホールドせず壊れるか、デッドホールドしない。
【００３５】
表１が示すように、厚みが薄くなればより小さな押圧力で突出部を裏面側に突出させることができ、厚みが厚くなればより大きな押圧力が必要となった。また、傾斜角度が小さくなればより小さな押圧力で突出部を裏面側に突出させることができ、傾斜角度が大きくなればより大きな押圧力が必要となった。
【００３６】
実験の結果、実験番号１乃至８のうち、２乃至６の手感触が良く、より簡単に蓋を容器本体から外すことができた。デッドホールド状態から元の状態に戻す場合、押圧力が大きい突出部ほど戻圧力も大きくなる。つまり、デッドホールド性は高くなる。
【００３７】
実験番号９乃至１１について説明する。これら実験にあっては、リブのない場合、リブを設けた場合、さらにリブと逆突出部１８を設けた場合の比較である。
リブを設けた実験番号１０が実験番号９よりも押圧力が大きくデッドホールド性が高かった。さらに逆突出部１８を設けた実験番号１１（図９参照）は、他の実験番号９、１０より押圧力が小さく、且つ、蓋２を容器本体２から外す距離が長いので、より容易に蓋２を外すことができた。
【００３８】
実験番号１２乃至１４について説明する。これら実験にあっては、実験番号９乃至１１で用いた突出部１６の形状を円錐にしたものである（図８参照）。この実験にあっても、四角錐と同様な効果を得た。
【００３９】
実験番号１５乃至１８について説明する。これら実験にあっては、リブ１７の深さや幅を変更したものである。リブ１７を設ける場合、実験番号１７が示すように、高さｈ３．０ｍｍの半分（１．５ｍｍ）までリブの深さを設けると、裏面側まで突出させることができず、デッドホールドできなかった。
実験番号１８は、図１０に示す突出部１６であり、リブ１７は図の正方形の一辺の２／３の幅を有するリブである。本実験にあっても、良好なデッドホールド性を得ることができた。
【００４０】
実験番号１９乃至２１について説明する。これら実験にあっては、図８の円錐の突出部１６において、リブ１７のない突出部、リブ１７が８本の突出部及びリブ１７が１６本の突出部を用いた（いずれも図示省略）。
これら実験にあっては、押圧力が異なったが、いずれも良好なデッドホールド性を有していた。
【００４１】
実験番号２２乃至２４について説明する。これら実験にあっては、図５の四角錐の突出部１６において、高さｈを変更して角度Ｄを変更したものである（いずれも図示省略）。
これら実験にあっては、押圧力が異なったが、実験番号２４にあっては、デッドホールド性が悪かった。
【００４２】
次に、表２を参照しつつ説明する。表２におけるＡＰＥＴはアモルファス・ポリエチレン・テレフタレート、ＨＩＰＳは耐衝撃性ポリスチレン、ＰＰはポリプロピレン、ＰＰＦはフィラー入りポリプロピレンである。
ＡＰＥＴでは、実験番号２５でデッドホールド性が悪かったが、他は良好であった。他の樹脂は、いずれも良好であった。
【００４３】
【表２】
2011152934.tif 000004
【００４４】
他の発明としての容器について、図１１を参照しつつ、説明する。
図１１は、他の発明である容器の一例を示したものであり、平面で円形の容器であっても、蓋の端縁に突出部１６を設けることによって、より容易に蓋２を外すことができた。
【図１】
2011152934.tif 000005
【図２】
2011152934.tif 000006
【図３】
2011152934.tif 000007
【図４】
2011152934.tif 000008
【図５】
2011152934.tif 000009
【図６】
2011152934.tif 000010
【図７】
2011152934.tif 000011
【図８】
2011152934.tif 000012
【図９】
2011152934.tif 000013
【図１０】
2011152934.tif 000014
【図１１】
2011152934.tif 000015